(57)【要約】【課題】電気音響変換機器が発する音波の基本波成分を減じて音圧を低下させることができる電気音響変換機器が発する異常音の官能検査時における聴力保護方法および聴力保護システムの提供。【解決手段】電気的な持続振動を特定の電気音響変換機器１３に与えて音波Ｓとして出力させ、該音波Ｓを収音マイク１５で収音してヘッドホン２０での聴音を可能に出力するに際し、その基本波成分を減じることで聴音作業者の耳に加わる音圧を低下させて電気音響変換機器１３自体が発する異常音の聴別を容易化した。【選択図】図１
2010171745.tif 000002
【特許請求の範囲】
【請求項１】
電気的な持続振動を特定の電気音響変換機器に与えて音波として出力させ、該音波を収音マイクで収音してヘッドホンでの聴音を可能に出力するに際し、その基本波成分を減じることで聴音作業者の耳に加わる音圧を低下させて前記電気音響変換機器自体が発する異常音の聴別を容易化することを特徴とする電気音響変換機器が発する異常音の官能検査時における聴力保護方法。
【請求項２】
電気的な持続振動を生じさせるオシレータと、該オシレータからの前記持続振動を増幅するパワーアンプと、該パワーアンプを経て増幅された前記持続振動を音波として出力する電気音響変換機器と、該電気音響変換機器から出力される音波を収音する収音マイクと、該収音マイクにより収音された音波信号を調整するコントロールアンプと、該コントロールアンプを経て調整された音波信号を増幅するパワーアンプと、該パワーアンプを経て増幅された音波信号を音波に変換して聴音可能とするヘッドホンとを備え、
前記コントロールアンプと前記パワーアンプとの間には減算回路を、該減算回路と前記オシレータとの間には遅延回路をそれぞれ介在させて基本波成分を減じることで、聴音作業者の耳に加わる音圧を低下させたことを特徴とする電気音響変換機器が発する異常音の官能検査時における聴力保護システム。
【発明の詳細な説明】
【技術分野】
【０００１】
本発明は、ヘッドホンやスピーカなどの電気音響変換機器が発する異常音の有無を聴音作業者が官能検査する際に、耳に大きな負担がかかって聴力の低下を招くことのないようにするための電気音響変換機器が発する異常音の官能検査時における聴力保護方法および聴力保護システムに関する技術である。
【背景技術】
【０００２】
ヘッドホンやスピーカなどの個々の電気音響変換機器は、振動部の不具合によって特有の異常音を発生させることがあり、これを検出する方法としては、例えば下記非特許文献１に記載されている検出手法が既に提案されている。
【先行技術文献】
【非特許文献】
【０００３】
【非特許文献１】日本音響学会誌４７巻７号（１９９１）第４８４頁「小型ヘッドホンの微小なビリつき音の検出手法」
【０００４】
上記非特許文献１によれば、ビリつき音の発生原因は、ボイスコイルのローリングによって、振動膜やボイスコイルがフレーム、ヨーク、磁石などに接触する非線形現象にあるとされている。
【０００５】
そして、ビリつき音の発生を自動的に検出する信号処理方法については、出力音を帯域ろ波した信号の時間包絡の自己相関によって判定を行う手法が採用されており、標本である小型ヘッドホンにこの手法を適用した際にビリつきの有無が極めて高精度に判定できたことが実証されている。
【発明の概要】
【発明が解決しようとする課題】
【０００６】
しかし、上記非特許文献１に開示されている手法を実現した装置は、複雑、かつ、高価であり、安価なユニットであるヘッドホンやスピーカなどの電気音響変換機器を生産している現場において、生産コスト抑制の観点からも簡単には導入することができない不都合あった。
【０００７】
このため、このような安価なユニットである電気音響変換機器の異常音の個別検査は、聞き取りやすくするために大きな音波を発生させた状態のもとで聴音作業者の耳による官能検査に頼らざるを得ず、長時間にわたり作業に従事しても聴力障害を起こさないようにするための簡便な聴力保護法が求められていた。
【０００８】
本発明は、従来技術の上記課題に鑑み、個々の電気音響変換機器が発する音波を収音オンマイクで収音し、その基本波成分を減じて聴音作業者の耳に加わる音圧を低下させることができる電気音響変換機器が発する異常音の官能検査時における聴力保護方法および聴力保護システムを提供することに目的がある。
【課題を解決するための手段】
【０００９】
本発明は、上記目的を達成すべくなされたものであり、そのうちの第１の発明（方法）は、電気的な持続振動を特定の電気音響変換機器に与えて音波として出力させ、該音波を収音マイクで収音してヘッドホンでの聴音を可能に出力するに際し、その基本波成分を減じることで聴音作業者の耳に加わる音圧を低下させて前記電気音響変換機器自体が発する異常音の聴別を容易化することを最も主要な特徴とする。
【００１０】
また、第２の発明（システム）は、電気的な持続振動を生じさせるオシレータと、該オシレータからの前記持続振動を増幅するパワーアンプと、該パワーアンプを経て増幅された前記持続振動を音波として出力する電気音響変換機器と、該電気音響変換機器から出力される音波を収音する収音マイクと、該収音マイクにより収音された音波を調整するコントロールアンプと、該コントロールアンプを経て調整された音波を聴取するヘッドホンとを備え、該ヘッドホンと前記コントロールアンプとの間には減算回路を、該減算回路と前記オシレータとの間には遅延回路をそれぞれ介在させて基本波成分を減じることで、聴音作業者の耳に加わる音圧を低下させたことを最も主要な特徴とする。
【発明の効果】
【００１１】
本発明によれば、電気的な持続振動を特定の電気音響変換機器に与えて音波として出力させ、該音波を収音マイクで収音してヘッドホンでの聴音を可能に出力するに際し、その基本波成分を減じることで聴音作業者の耳に加わる音圧を低下させて前記電気音響変換機器自体が発する異常音の聴別を容易化することで、聴音作業者が長時間にわたり官能検査を行っても聴力障害を発生させないようにすることができる。
【図面の簡単な説明】
【００１２】
【図１】第１の発明（方法）が適用実施される第２の発明（システム）の構成例を示すブロック図。
【発明を実施するための形態】
【００１３】
図１は、第１の発明（方法）が適用実施される第２の発明（システム）の構成例を示すブロック図である。同図によれば、その全体は、電気的な持続振動を生じさせるオシレータ１１と、該オシレータ１１からの前記持続振動を増幅するパワーアンプ１２と、該パワーアンプ１２を経て増幅された前記持続振動を音波Ｓとして出力する電気音響変換機器１３と、該電気音響変換機器１３から出力される音波Ｓを収音する収音マイク１５と、該収音マイク１５により収音された音波信号を調整するコントロールアンプ１６と、該コントロールアンプ１６を経て調整された音波信号を増幅するパワーアンプ１９と、該パワーアンプ１９を経て増幅された音波信号を音波に変換して聴音可能とするヘッドホン２０とを備えて構成されている。
【００１４】
また、コントロールアンプ１６とパワーアンプ１９との間には、減算回路１８が、オシレータ１１と減算回路１８との間には、遅延回路１８がそれぞれ介在配置された上で結線されている。
【００１５】
この場合、オシレータ１１は、トランジスタやＦＥＴなどの能動素子のもとで、例えば正弦波などのような所要の電気的な継続波形を発生させる電子回路として構成されている。
【００１６】
オシレータ１１の後段に接続されるパワーアンプ１２は、メインアンプとも称され、数Ωという低いインピーダンスの電気音響変換機器１３に大きな電流を供給するために配置されている。
【００１７】
パワーアンプ１２の出力側に接続される検査対象としての電気音響変換機器１３は、図示例のようなスピーカ１４のほか、図示しないヘッドホンなどで構成されており、入力信号を受けて自らが生成する異常音（ビリつき音）を含む音波Ｓを所定時間出力する。
【００１８】
電気音響変換機器１３の放音側に配置される収音マイク１５は、電気音響変換機器１３が発する音波Ｓを収音し、対応する音波信号（電気信号）に変換するために配置されており、例えば無指向性コンデンサマイクロホンを好適に用いることができる。
【００１９】
収音マイク１５の出力側に接続されるコントロールアンプ１６は、プリアンプとも称され、収音マイク１５が出力する音波信号に必要な調整を施して後段に出力できるようにして配置されている。
【００２０】
また、コントロールアンプ１６とパワーアンプ１９との間には、減算回路１８が配置されている。該減算回路１８は、オシレータ１１との間とも電気音響変換機器１３が発する音波Ｓの時間間隔と同じ時間だけ遅延させる遅延回路１７を介在させて接続されており、コントロールアンプ１６からの入力電圧とオシレータ１１からの入力電圧との差に比例した出力が得られるようになっている。
【００２１】
つまり、遅延回路１７と減算回路１８とは、電気音響変換機器１３を駆動する信号を同じ時間遅延させて減算することで、基本波成分を小さくする役割を果たすことになる。
【００２２】
かくして、減算回路１８を経た出力は、基本波成分が減じられた状態のもとでパワーアンプ１９を経させてヘッドホン２０に入力され、聴音作業者の耳に加わる音圧を小さくしつつ、異常音を聞き取りやすくして聴取できることになる。
【００２３】
したがって、本発明によれば、安価なシステム構成のもとで、オシレータ１１が発生させる電気的な持続振動を特定の電気音響変換機器１３に与えて音波Ｓとして出力させ、該音波Ｓを収音マイク１５で収音してヘッドホン２０での聴音を可能に出力するに際し、その基本波成分を減じることで聴音作業者の耳に加わる不快音による音圧を低下させて電気音響変換機器１３自体が発する異常音の聴別を容易化することで、聴音作業者が長時間にわたり官能検査を行っても聴力障害を発生させないようにすることができることになる。
【符号の説明】
【００２４】
１１  オシレータ
１２  パワーアンプ
１３  電気音響変換機器
１４  スピーカ
１５  収音マイク
１６  コントロールアンプ
１７  遅延回路
１８  減算回路
１９  パワーアンプ
２０  ヘッドホン
Ｓ  音波
【図１】
2010171745.tif 000003